(57)【要約】      （修正有）【課題】遊技機用基板ボックスを確実に封印して遊技内への不正行為を防止し、または、その不正行為を早期に発見することができる遊技機を提供する。【解決手段】封印部材２０，３０を合致させ、封印金具１１を挿入穴３０ｃ，２０ａ内へ押し込むと、係止爪１１ｃが係止面２０ｂに係止されると共に、頭部１１ｂが係合穴３０ａに係合される。その結果、ボックス本体４１とボックス蓋体４２とが開封不可能に連結される。この場合、係止面は、封印部材に対して、ボックス本体４１側あるいはボックス蓋体４２側に配置されるよう形成されている。よって、封印部材３０のスカート部３０ｆおよび封印部材２０の側壁２０ｄへドリル等により貫通孔が穿設された場合にも、貫通孔から挿通されたピアノ線等の線状体により係止爪を板部１１ａ側に押圧することができないので、封印金具が取り外されることを防止して、制御回路基板への不正行為を防止する。【選択図】図５
2014166336.tif 000002
【特許請求の範囲】
【請求項１】
回路基板が収納されるボックスベース及びボックスカバーを有する遊技機用基板ボックスと、その遊技機用基板ボックスを封印する遊技機用基板ボックス封印具とを備えた遊技機において、
前記遊技機用基板ボックス封印具は、前記ボックスベース又はボックスカバーの一方に配設される第１封印部材と、前記ボックスカバー又はボックスベースの他方に配設される第２封印部材と、前記第１封印部材に設けられるストッパ部材と、そのストッパ部材に係止される係止部及び前記第２封印部材に係合される係合部を有する連結封印部材とを備え、
その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、
前記連結封印部材の係止部は、前記ボックスベース又はボックスカバーが前記回路基板を収納する側を向いた状態で前記ストッパ部に係止されることを特徴とする遊技機。
【発明の詳細な説明】
【技術分野】
【０００１】
本発明は、パチンコ機やスロットマシン等の遊技機に関するものである。
【背景技術】
【０００２】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板等により行われる。これらの制御回路基板は、遊技盤の裏面に配設される入賞球集合カバーまたは機構板に取り付けられる遊技機用基板ボックス内に収納されて遊技機に付設されている。この遊技機用基板ボックスは制御回路基板を被包して収納するためのボックスベースとボックスカバーとを備えている。
【０００３】
ところで、かかる遊技用基板ボックス内に収納された制御回路基板から遊技内容に関する制御情報が記憶されたＲＯＭを取り外し交換して、遊技機の遊技内容を変更する不正行為が近年問題になっている。このような不正行為の防止対策として、遊技機用基板ボックス内からＲＯＭを取り外すことができないように遊技機用基板ボックスのボックスベースとボックスカバーとに設けられた封印部材を封印金具を用いて接合し、遊技機用基板ボックスを封印する方法が用いられている。
【０００４】
例えば、封印金具１００は、図１１に示すように、平板状の金属等からなる板部１０１と、その板部１０１の一端に形成される頭部１０２と傾斜しつつ突設される係止部１０３とから構成されている。この封印金具１００がボックスベース１０４に設けられたベース封印部材１０５の挿入穴１０５ａ内へ挿入されると、係止部１０３が封印部材１０５の係止孔１０５ｂ内に係止され、頭部１０２がボックスカバー１０６に設けられたケース封印部材１０７の係合穴１０７ａ内に係合される。その結果、封印金具１００が抜き取り不可能な状態でベース封印部材１０５及びケース封印部材１０７内に保持されることとなり、ボックスベース１０４とボックスカバー１０６とが開封不可能に連結される。よって、この封印金具１００を用いて遊技機用基板ボックス１０８のボックスベース１０４およびボックスカバー１０６を接合した場合、遊技機用基板ボックス１０８を容易に開封することができないので、遊技機用基板ボックス内の制御回路基板から遊技内容に関する制御情報の記憶されたＲＯＭを取り外して交換するという不正行為が防止される。
【発明の概要】
【発明が解決しようとする課題】
【０００５】
しかしながら、上記のように封印金具を用いて封印部材を接合する構成では、ケース封印部材１０７の側壁１０７ｂへドリル等の工具によって貫通孔を穿設することにより、係止孔１０５ｂを外部と連通させることができる。かかる貫通孔からピアノ線等が挿入され係止部１０３が板部１０１方向へ圧下されると、係止孔１０５ｂへの係止が解除されてしまい、封印金具１００が取り外し可能となる。よって、上記の様に封印金具を用いる構成では、遊技機用基板ボックス内に制御回路基板を確実に封印することができないという問題点があった。このため、遊技機用基板ボックス内に収納された制御回路基板からＲＯＭを取り外して交換し遊技内容を変更する不正行為を防止することができないという問題点があった。
【０００６】
また、ケース封印部材１０７の側壁１０７ｂへ穿設される貫通孔は、細線状のピアノ線等を挿通することができれば良いため極めて小さな径となる。その為、遊技機用基板ボックスを開封して、上述したＲＯＭを交換した後に、貫通孔へ同種材料が充填されると同時に取り外した封印金具が再度挿入し直されていると、ＲＯＭを交換した痕跡を残すことなく不正行為を行うことができる。よって、上記封印金具を用いた方式では、かかる不正行為を早期に発見することもできないという問題点があった。
【０００７】
本発明は上述した問題点を解決するためになされたものであり、遊技機用基板ボックスを確実に封印して遊技内容を変更する不正行為を防止し、一方、かかる不正行為が行われた場合には、その不正行為を早期に発見することができる遊技機を提供することを目的としている。
【課題を解決するための手段】
【０００８】
この目的を達成するために、請求項１記載の遊技機は、回路基板が収納されるボックスベース及びボックスカバーを有する遊技機用基板ボックスと、その遊技機用基板ボックスを封印する遊技機用基板ボックス封印具とを備え、前記遊技機用基板ボックス封印具は、前記ボックスベース又はボックスカバーの一方に配設される第１封印部材と、前記ボックスカバー又はボックスベースの他方に配設される第２封印部材と、前記第１封印部材に設けられるストッパ部材と、そのストッパ部材に係止される係止部及び前記第２封印部材に係合される係合部を有する連結封印部材とを備え、その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、前記連結封印部材の係止部は、前記ボックスベース又はボックスカバーが前記回路基板を収納する側を向いた状態で前記ストッパ部に係止される。
この請求項１記載の遊技機によれば、回路基板をボックスベースまたはボックスカバー内に収納し、ボックスベースまたはボックスカバーの一方に配設された第１封印部材と、ボックスベースまたはボックスカバーの他方に配設された第２封印部材とを対向させて合致させることにより、回路基板が遊技機用基板ボックス内に被包される。そして、回路基板を被包した後、連結封印部材により、第１封印部材および第２封印部材が連結され、遊技機用基板ボックス内に被包された回路基板が確実に封印される。
この場合、連結封印部材の係止部は、ボックスベース又はボックスカバーが回路基板を収納する側を向いた状態で第１封印部材のストッパ部に係止され、第１封印部材と第２封印部材とを連結する。
【発明の効果】
【０００９】
本発明の遊技機によれば、第１封印部材および第２封印部材が連結封印部材によって連結された場合、その連結封印部材の係止部は、ボックスベース又はボックスカバーが回路基板を収納する側を向いた状態で第１封印部材のストッパ部に係止されている。よって、その係止を解除するために、第１封印部材へドリル等により貫通孔を穿設し、かかる貫通孔からピアノ線が挿通されたとしても、そのピアノ線等により連結封印部材の係止部を圧下することができず、ストッパ部材と係止部との係止の解除が防止される。従って、連結封印部材が取り外されることを防止することができ、制御回路基板に不正な加工を施す不正行為を防止することができる。
【図面の簡単な説明】
【００１０】
【図１】図１は、本発明の第１実施例における封印具及び嵌合部材を有する基板ボックスが配設されたパチンコ機の裏面図である。
【図２】図２は、封印具及び嵌合部材の配設された基板ボックスが開封された状態を示す斜視図である。
【図３】図３は、封印具を構成する各部材の部分断面斜視図である。
【図４】図４は、保持部に封印金具が保持されている状態を示した封印具の部分断面図である。
【図５】図５は、基板ボックスを封印した状態における封印具の部分断面図である。
【図６】図６は、嵌合部材を構成する各部材の斜視図である。
【図７】図７は、嵌合部材を構成する各部材の斜視図である。
【図８】図８は、図６のＶＩＩ−ＶＩＩ線における嵌合部材の断面図である。
【図９】図９は、第２実施例における嵌合部材の配設された基板ボックスが開封された状態を示す斜視図である。
【図１０】図１０は、第２実施例における基板ボックスに封印金具が保持されている状態を示した封印具の部分断面図である。
【図１１】図１１は、従来の封印具を示した図である。
【発明を実施するための形態】
【００１１】
以下、本発明の好ましい実施例について、添付図面を参照して説明する。図１は、本発明の第１実施例における封印具１及び嵌合部材２を有する基板ボックス４０が配設されたパチンコ機５５の裏面図であり、図２は、封印具１及び嵌合部材２の配設された基板ボックス４０が開封された状態を示す斜視図である。なお、図２では、基板ボックス４０の一部を省略して図示している。
【００１２】
図１および図２を参照して、封印具１及び嵌合部材２が配設される基板ボックス４０について説明する。まず、図１に示すように、基板ボックス４０は、例えば遊技機の一種であるパチンコ機５５の遊技盤裏側に設けられた入賞球集合カバー５６に取り付けられている。基板ボックス４０は、パチンコ機５５の遊技内容に関する制御情報を記憶した制御用ＲＯＭ等の電子部品により構成された制御回路基板（図示せず）を被包するためのものであり、ボックス本体４１と、そのボックス本体４１に覆設されるボックス蓋体４２とを備えている（図２参照）。なお、基板ボックス４０は賞球や貸球の払い出しを行う払出装置等が搭載される機構板に取り付けても良い。
【００１３】
図２に示すように、ボックス本体４１は、透明な合成樹脂材料等で略中空状の箱状体に形成されており、その上方はボックス本体４１内に制御回路基板を配設するために開放されている。また、ボックス本体４１の側壁４１ａであって、その側壁４１ａの外側（図２の右手前側）には、後述する封印具１の封印部材２０が略等間隔に４個取り付けられている。なお、この側壁４１ａに対向する側壁、及び、これらの側壁を連結する側壁４１ｂの外側にもそれぞれ４個ずつ封印部材２０が配設されている（図１参照）。なお、ボックス本体４１の材質としては、ポリカーボネート樹脂やＡＢＳ樹脂等が使用され、また、それらの樹脂に帯電防止処理を施したものを使用しても良い。また、上記した透明とは、光学的に完全な透明であるという意味ではなく、いわゆる半透明も含む意味であり、以下で使用する場合も同じ意味である。
【００１４】
ボックス本体４１の側壁４１ｃであって、その側壁４１ｃの外側（図２の左手前側）には、後述する嵌合部材２のケース５０が取り付けられており（図２参照）、このケース５０は、所定の間隔だけ離間して側壁４１ｃに２個取り付けられている（図１参照）。更に、ボックス本体４１の内側壁には薄板状のガイド板４３がボックス蓋体４２との合わせ目部分の全域に立設されており、ボックス本体４１にボックス蓋体４２を被せる場合に、ボックス蓋体４２の位置ズレを防止して、容易に被せることができる。また、後述するボックス蓋体４２の合わせ目部分の全域には、略凹状に形成された挿嵌凹部４４がガイド板４３に対向して設けられている。よって、ボックス本体４１にボックス蓋体４２が被せられると、ガイド板４３はその挿嵌凹部４４に所定長さが挿嵌されるので、ボックス本体４１とボックス蓋体４２との合わせ目部分に薄板状の工具等が差し込まれ、合わせ目部分がこじ開けられることを防止することができる。従って、こじ開けられた隙間から制御回路基板に不正な加工を施す不正行為を防止することができる。
【００１５】
ボックス蓋体４２は、ボックス本体４１と同様に、透明な合成樹脂材料等で略中空状の箱状体に形成されており、基板ボックス４０内の制御回路基板上に設けられた制御用ＲＯＭの型番号を容易に確認することができる。このため、制御用ＲＯＭを交換してパチンコ機５５の遊技内容を変更する不正行為が行われた場合、これを容易に発見することができる。また、ボックス蓋体４２の側壁４２ａであって、その側壁４２ａの外側（図２の右手前側）には、後述する封印具１の封印部材３０が略等間隔に４個取り付けられている。なお、側壁４２ａに対向する側壁、及び、これらの側壁を連結する側壁４２ｂの外側にもそれぞれ４個ずつ封印部材３０が配設されている（図１参照）。なお、ボックス蓋体４２の材質としては、ポリカーボネート樹脂やＡＢＳ樹脂等が使用され、また、それらの樹脂に帯電防止処理を施したものを使用しても良い。
【００１６】
ボックス蓋体４２の側壁４２ｃであって、その側壁４２ｃの外側（図２の左手前側）には、後述する嵌合部材２の嵌合凸部６０が取り付けられており（図２参照）、この嵌合凸部６０は、所定の間隔だけ離間して側壁４２ｃに２個取り付けられている（図１参照）。ボックス蓋体４２の各封印部材３０及び嵌合凸部６０は、ボックス本体４１にボックス蓋体４２が被せられた場合に、前記したボックス本体４１の各封印具２０及びケース５０とそれぞれ合致するように、ボックス本体４１の各封印具２０及びケース５０に対応した位置に配設されている。また、ボックス蓋体４２の内側壁には遮蔽板４６がボックス本体４１との合わせ目部分に立設されており、この遮蔽板４６と各側壁４２ａ，４２ｂ等との間には上記したガイド板４３が挿嵌される挿嵌凹部４４が凹設されている。よって、このボックス蓋体４２がボックス本体４１に被せられると、挿嵌凹部４４に上記したボックス本体４１のガイド板４３が挿嵌され、合わせ目部分に薄板状の工具等が差し込まれることが防止される。
【００１７】
また、封印具１の封印部材２０，３０と嵌合部材２のケース５０及び嵌合凸部６０とは、上記したように、ボックス本体４１とボックス蓋体４２との合わせ目部分よりも外側、即ち、制御回路基板が収納される収納部の反対側に配設されている。よって、これら封印部材３０と嵌合凸部６０とを後述するようにボックス蓋体４２から切断して除去した場合にも、ボックス蓋体４２はボックス本体４１とともに制御回路基板を被包する蓋体としての機能を失うことがない。したがって、封印部材３０と嵌合凸部６０とをボックス蓋体４２から切断して除去した後も、制御回路基板をボックス蓋体４２とボックス本体４１とにより被包し封印することができるのである。
【００１８】
次に、図３から図５を参照して、封印具１を構成する各部材について説明する。図３は、封印具１を構成する各部材の部分断面斜視図であり、図４は、封印部材２０，３０により形成された保持部Ｈに封印金具１１が保持されている状態を示した封印具１の部分断面図であり、図５は、基板ボックス４０を封印した状態における封印具１の部分断面図である。
【００１９】
図３に示すように、封印具１は、基板ボックス４０を封印するための封印金具１１と、その封印金具１１が係止される封印部材２０と、その封印部材２０に対向してボックス蓋体４２に配設され封印金具１１が係合される封印部材３０とを備えている。尚、各封印金具１１および各封印部材２０，３０はそれぞれ略同一に構成されているので、以下、同一の部分には同一の番号を付してその説明は省略する。
【００２０】
封印金具１１は、図３に示すように、各封印部材２０，３０を連結するためのものであり、ステンレス鋼材等の金属材料で構成されており、正面視略Ｔ字形の略板状体に形成されている。この封印金具１１は、封印部材２０に挿入される板部１１ａと、その板部１１ａに一体形成されるとともに後述する封印部材３０に係合される頭部１１ｂとを備えている。
【００２１】
板部１１ａの長手方向（図３の上下方向）略中央には、外方へ向けて略く字形に延出された係止爪１１ｃが設けられている。この係止爪１１ｃは、封印金具１１の板部１１ａが封印部材３０の挿入穴３０ｃへ挿入され押し込まれた場合、挿入穴３０ｃにより板部１１ａ側へ押圧され徐々に弾性変形し、更に挿し込み続けると、係止爪１１ｃは、弾性的に復元して封印部材３０の係止面３０ｄに係止され、封印部材２０の挿入穴２０ａと封印部材３０の係止面３０ｄとにより形成された保持部Ｈに収納される（図４参照）。一方、封印金具１１の頭部１１ｂは、封印部材３０の係合穴３０ａ内に保持され、封印金具１１を封印部材３０内に取り外し不可能な状態で保持することができる。
【００２２】
更に、保持部Ｈに係止爪１１ｃが保持された封印金具１１を下方（図４の下方向）へ押し込むと、係止爪１１ｃは、挿入穴２０ａにより板部１１ａ側へ押圧され徐々に弾性変形しつつ、封印部材２０の内部空間２０ｃ内へ挿入され、その後、弾性的に復元して封印部材２０の係止面２０ｂに係止される。一方、封印金具１１の頭部１１ｂは、その第１係合部１１ｂ１、第２係合部１１ｂ２が封印部材３０の第１係合面３０ｂ１、第２係合面３０ｂ２にそれぞれ係合される。よって、封印部材２０，３０は封印金具１１により取り外し不可能な状態で連結される（図５参照）。
【００２３】
板部１１ａの先端には、略半球状の凸部１１ｄが係止爪１１ｃと反対側へ突出して設けられている。その結果、封印金具１１の先端部分の曲げ剛性が強化されるとともに、封印金具１１の先端部が凸部１１ｄにより案内され、封印金具１１の板部１１ａの先端部分を後述する封印部材３０の挿入穴３０ｃに容易に挿入することができる。また、板部１１ａが封印部材２０の内部空間２０ｃ内に挿入されると、この凸部１１ｄが内部空間２０ｃの側壁２０ｄへ圧接され、凸部１１ｄの突出高さ分だけ板部１１ａが封印部材２０，３０の係止面２０ｂ，３０ｄ側（図４，図５の右側）に押し出されるので、係止爪１１ｃを係止面２０ｂ，３０ｄに確実に係止させることができる（図４，図５参照）。
【００２４】
図３に示すように、封印金具１１の長手方向の上端部には、頭部１１ｂが形成されている。この頭部１１ｂは、封印金具１１の剛性を強化すると共に、封印部材１１を封印部材２０，３０の所定の位置に位置決めするためのものである。頭部１１ｂは、中空状の略円柱体に形成されており、封印金具１１を封印部材２０，３０の挿入穴２０ａ，３０ｃに挿入する場合、かかる頭部１１ｂを押下することにより容易に封印金具１１を挿入することができる。また、頭部１１ｂは、図３に示すように、一対の第１係合部１１ｂ１および第２係合部１１ｂ２を備えており、これら第１係合部１１ｂ１、第２係合部１１ｂ２が封印部材３０の第１係合面３０ｂ１、第２係合面３０ｂ２にそれぞれ係合することにより封印部材２０，３０が連結される。第１係合部１１ｂ１および第２係合部１１ｂ２は、頭部１１ｂが板部１１ａの横幅方向へ突出した突出部分の下辺側（図３の下側）にそれぞれ形成されており、第１係合部１１ｂ１は板部１１ａの一方の長辺からＭ１だけ突出し、第２係合部１１ｂ２は他方の長辺からＭ２だけ突出している。なお、第１係合部１１ｂ１が板部１１ａから突出する突出量Ｍ１は、第２係合部１１ｂ２の突出量Ｍ２より大きくされている（Ｍ１＞Ｍ２）。
【００２５】
封印金具１１の頭部が保持される封印部材３０の係合穴３０ａは、図３に示すように、封印金具１１の頭部１１ｂが有する横幅と略等しい間隔を隔てて対向する一対の第１縦壁３０ａ１および第２縦壁３０ａ２を備えている。第１縦壁３０ａ１は、封印金具１１の板部１１ａが挿入される挿入穴３０ｃの一方の短辺からＬ１だけ離間して立設されており、第２縦壁は、挿入穴３０ｃの他方の短辺からＬ２だけ離間して立設されている。なお、第１縦壁３０ａ１が挿入穴３０ｃから離間する離間量Ｌ１は、第２縦壁３０ａ２の離間量Ｌ２より大きくされている（Ｌ１＞Ｌ２）。
【００２６】
ここで、第１縦壁３０ａ１が挿入穴３０ｃから離間する離間量Ｌ１は、封印金具１１の第１結合部１１ｂ１が板部１１ａから突出する突出量Ｍ１に対して略等しく、或いは、若干大きくされており（Ｍ１≦Ｌ１）、第２縦壁３０ａ２の離間量Ｌ２は、第２結合部１１ｂ２の突出量Ｍ２に対して略等しく、或いは、若干大きくされている（Ｍ２≦Ｌ２）。そして、第２縦壁３０ａ２の離間量Ｌ２は、第１結合部１１ｂ１の突出量Ｍ１よりも小さくされている（Ｌ２＜Ｍ２）。即ち、離間量と突出量との各関係は、Ｍ２≦Ｌ２＜Ｍ１≦Ｌ１とされている。
【００２７】
よって、封印金具１１が、図３に示すような向き（係止爪１１ｃがボックス蓋体４２側へ突出する向き）で封印部材３０へ挿入される場合には、頭部１１ｂの第１係合部１１ｂ１、第２係合部１１ｂ２が封印部材３０の第１縦壁３０ａ１、第２縦壁３０ａ２に係止されることが無く、封印金具１１の板部１１ａを封印部材３０の挿入穴３０ｃへ挿入することができる。一方、封印金具１１を逆向き（係止爪１１ｃがボックス蓋体４２と反対側へ突出する向き）で封印部材３０へ挿入される場合には、頭部１１ｂの第１係合部１１ｂ１が封印部材３０の第２縦壁３０ａ２に係止されるので、封印金具１１の板部１１ａを封印部材３０の挿入穴３０ｃへ挿入することが禁止される。このように、頭部１１ｂの第１係合部１１ｂ１、第２係合部１１ｂ２と封印部材３０の第１縦壁３０ａ１、第２縦壁３０ａ２との係止によって封印金具１１を位置決めすることができる。従って、制御回路基板が被包された基板ボックス４０を封印金具１１によって封印する作業者は、封印金具１１が封印部材２０，３０内に正しい向きで挿入されているか否かを確認する必要がないので、連結作業の作業能率を向上させることができ、また、封印金具１１が誤った向きのまま挿入される誤作業により生じる基板ボックス４０の封印不良を未然に防止することができる。
【００２８】
また、図５に示すように、頭部１１ｂの円柱状部の外径は、封印金具１１が封印部材２０，３０内へ押し込まれ、係止爪１１ｃが封印部材２０の係止面２０ｂに係止された状態において封印部材３０の係合穴３０ａの幅（図５の左右方向寸法）と比較して略等しくなるように形成されている。よって、封印金具１１の係止爪１１ｃが封印部材２０の係止面２０ｂに係止され、頭部１１ｂの第１係合部１１ｂ１、第２係合部１１ｂ２が封印部材３０の第１係合面３０ｂ１、第２係合面３０ｂ２にそれぞれ係合された場合、封印部材２０，３０は封印金具１１により取り外し不可能な状態で連結される。その結果、基板ボックス４０は開封不可能な状態にて封印される。
【００２９】
封印部材２０は、基板ボックス４０のボックス本体４１に配設され基板ボックス４０を封印するためのものであり、略中空角柱状に形成されると共にボックス本体４１と一体に形成されている。封印部材２０には、封印部材３０との対向面（図３〜図５の上側）に挿入穴２０ａが穿設されている。この挿入穴２０ａは、封印部材３０の挿入穴３０ｃと連通可能に形成されおり、封印金具１１の板部１１ａが挿入される。挿入穴２０ａは、封印部材３０との対向面側の開口部分の断面積が、反対向面側の開口部分断面積と比較して大きくなるようにテーパーが施されており、かかる挿入穴２０ａと封印部材３０の係止面３０ｄとの間には、封印金具１１の係止爪１１ｃを保持する保持部Ｈが形成されている。封印金具１１の係止爪１１ｃが保持部Ｈに保持されると、封印金具１１の頭部１１ｂは、封印部材３０の係合穴３０ａ内に埋め込まれ、封印部材３０の上面から突出することがない。よって、頭部１１ｂを掴んで封印金具１１を抜き取る不正行為や頭部１１ｂが何かに引っ掛かり封印金具１１が抜け落ちてしまうことを防止することができる。その結果、予備用（未使用）の封印金具１１は、封印部材２０と封印部材３０とを連結することなく、封印部材３０内に抜き取り不可能な状態で保持することができる（図４参照）。
【００３０】
封印部材２０の内部には、挿入穴２０ａと連通する内部空間２０ｃが設けられている。この内部空間２０ｃの底面側（図４、図５の下側）には、底面部２０ｅが設けられており、この底面部２０ｅによって内部空間２０ｃに挿入された封印金具１１が外部と区画されている。よって、封印金具１１が封印部材２０の底面側（図４、図５の下側）から反挿入方向（図４、図５の上方）へ押圧され、取り外されてしまうことが防止されている。
【００３１】
内部空間２０ｃの上部には、封印金具１１の係止爪１１ｃが係止される係止面２０ｂが設けられており、保持部Ｈに係止爪１１ｃが保持された封印金具１１を更に挿入すると、その封印金具１１の係止爪１１ｃが係止面２０ｂに係止され、封印金具１１の抜き取り行為が防止される（図５参照）。
【００３２】
ここで、例えば、係止爪１１ｃがボックス本体４１、ボックス蓋体４２の外方側（図４、図５の左側）を向いて係止面２０ｂに係止される構成の場合には、封印部材３０のスカート部３０ｆおよび封印部材２０の側壁２０ｄへドリル等により穿設された貫通孔からピアノ線等の線状体が挿通され、かかる線状体により係止爪１１ｃが板部１１ａ側に押圧されることにより係止爪１１ｃの係止が解除されてしまう。よって、封印金具１１が封印部材２０，３０から取り外されてしまい、基板ボックス４０内の制御基板を確実に封印することができない。しかしながら、本実施例の封印具１では、封印金具１１の係止爪１１ｃを係止する係止面２０ｂは、封印部材１１に対して、ボックス本体４１側あるいはボックス蓋体４２側（図４、図５の右側）に配置されるよう形成されている。即ち、係止爪１１ｃを係止する係止面２０ｂは、ボックス本体４１あるいはボックス蓋体４２と封印金具１１との間に挟まれて配置されている。よって、封印部材３０のスカート部３０ｆおよび封印部材２０の側壁２０ｄへドリル等により貫通孔が穿設された場合にも、貫通孔から挿通されたピアノ線等の線状体により係止爪１１ｃを板部１１ａ側に押圧することができないので、封印金具１１が取り外されることを防止することができる。従って、制御回路基板に不正な加工を施す不正行為を防止することができる。
【００３３】
また、係止爪１１ｃが突出する側（図４、図５の右側）からドリル等により貫通孔を穿設加工をすることは、ボックス本体４１、ボックス蓋体４２が障害となり、当然に不可能である。更に、各封印部材２０，３０は略等間隔で並設されているが（図２参照）、隣り合う各封印部材２０，３０間の隣接間隔は極めて小さくされており、また、並設された封印部材２０，３０の側方には板状の遮蔽部材４７が配設され、封印部材２０，３０の側面の露出が防止されている。よって、封印部材２０，３０および封印金具１１に対して側方（図４、図５の紙面手前側あるいは奥側）から、不正行為が行われることを防止することができる。
【００３４】
封印部材２０の上端面（図３の上側）には、嵌合溝２０ｆが直線状に凹設されており、封印部材３０の嵌合突起３０ｅが嵌合可能となっている。その封印部材３０の嵌合突起３０ｅは、先端が断面視半球状に形成されており、嵌合溝２０ｆへ容易に嵌合させることができる。よって、嵌合溝２０ｆに嵌合突起３０ｅを嵌合させることにより、封印部材２０，３０の位置ズレが防止され、封印部材２０と封印部材３０とを確実に合致させることができる。また、この嵌合溝２０ｆの側方（図４の右側）に設けられた後述する空隙Ｔから工具等を封印部材２０，３０の対向面間に差し込まれ、係止爪１１ｃが板部１１ａ側へ押圧されることにより係止爪１１ｃの係止面３０ｄへの係止が解除されることを防止することができる。従って、かかる差込により基板ボックス４０を封印する封印金具１１が取り外ずされ、制御回路基板に不正な加工を施す不正行為を防止することができる。
【００３５】
封印部材３０は、封印金具１１と封印部材２０とを介して、基板ボックス４０を封印するためのものであり、図３に示すように、基板ボックス４０のボックス蓋体４２の側壁に連結部材３１を介して一体に形成されている。封印部材３０は、正面視略矩形状に形成されており、その上端面（図３の上側）には、封印金具１１の頭部１１ｂが埋設され保持される長穴状の係合穴３０ａが凹設されている。この係合穴３０ａの下端部（図３の下側）には、挿入穴３０ｃが穿設されており、この挿入穴３０ｃの両端部には、第１係合面３０ｂ１、第２係合面３０ｂ２が並設されている。封印金具１１の板部１１ａが挿入穴３０ｃ内へ挿入された場合には、封印金具１１の頭部１１ｂに形成された第１係合部１１ｂ１、第２係合部１１ｂ２が、第１係合面３０ｂ１、第２係合面３０ｂ２にそれぞれ係合されるので、封印金具１１の頭部１１ｂは、挿入穴３０ｃを通り抜けることができない。よって、封印金具１１の頭部１１ｂは、係合穴３０ａ内に確実に保持される。
【００３６】
挿入穴３０ｃは、係合穴３０ａの下端部に第１係合面３０ｂ１、第２係合面３０ｂ２と並設されており、係合穴３０ａの２側壁を構成する一対の第１縦壁３０ａ１、第２縦壁３０ａ２とそれぞれ所定距離（Ｌ１，Ｌ２）だけ離間するよう配置されている。この挿入穴３０ｃは、封印金具１１の板部１１ａが挿入可能な断面視横長の貫通孔であり、封印部材２０の挿入穴２０ａと連通されている。挿入穴３０ｃの開口部分の断面積は、図４に示すように、封印部材２０の挿入穴２０ａの開口部分の断面積よりも小さくされている。よって、平面状の係止面３０ｄが挿入穴３０ｃの側方（図４の右側）に形成され、かかる係止面により封印金具１１の係止爪１１ｃを係止することができ、封印金具１１を取り外し不可能に保持部Ｈへ保持することができる（図４参照）。
【００３７】
スカート部３０ｆは封印部材３０の下方に配設されており、正面視略矩形状に形成されている。このスカート部３０ｆの正面（図３の左手前側）と上記した挿入穴３０ｃの断面長手方向とは、ボックス蓋体４２の側壁と略平行となるように配設されている。よって、封印部材３０は、平板状の封印金具１１をボックス蓋体４２の側壁と平行に収納することができ、封印部材２０，３０がボックス本体４１、ボックス蓋体４２から突出する寸法を減少させることができる。従って、基板ボックス４０を小型化することができ、他の部品を取り付ける空間が減少することを防止することができる。
【００３８】
封印部材２０と封印部材３０とが合致された場合には、封印部材２０，３０の合わせ目（対向面）部分および封印部材２０の外周部がこのスカート部３０ｆにより覆設される。よって、封印部材２０，３０の合わせ目部分に薄板状の工具等が差し込まれ、合わせ目部分がこじ開けられることを防止することができる。従って、かかるこじ開けにより基板ボックス４０を封印する封印金具１１が取り外ずされ、制御回路基板に不正な加工を施す不正行為を防止することができる。
【００３９】
連結部材３１は、封印部材３０とボックス蓋体４２とをそれぞれ連結するためのものである。この連結部材３１は、図３に示すように、その一端が封印部材３０の一側面に配設されると共に他端がボックス蓋体４２の側壁に配設されており、これらが一体に形成されている。よって、封印部材３０は、連結部材３１の長さ寸法分だけボックス蓋体４２から離間して配置され、封印部材３０とボックス蓋体４２の側壁との間に所定の間隔が形成されている。
【００４０】
ここで、制御回路基板は、図５に示したように、基板ボックス４０内に封印された状態で使用されるものであるが、その後、かかる制御回路基板に不正行為（例えば、不正なＲＯＭへの交換等）が施された疑いが生じた場合には、その制御回路基板（のＲＯＭ）を検査するために基板ボックス４０を開封する必要がある。そこで、基板ボックス４０を開封するために連結部材３１をニッパ等の工具により切断するのだが、上記したように、封印部材３０とボックス蓋体４２の側壁との間には所定の間隔が形成され、ニッパ等の工具の刃先が入り込むための間隔が形成されている。よって、連結部材３１を切断する場合、ニッパ等の工具を用いて容易に切断することができる。更に、この連結部材３１の下端面（図３の下側）と封印部材２０の上端面（図３の上側）との間には空隙Ｔが設けられている（図４、図５参照）。よって、かかる空隙Ｔにニッパ等の工具の刃先を入り込ませることができるので、封印部材２０の上端面に邪魔されること無く連結部材３１を容易に切断することができ、切断作業の作業性を向上させることができる。
【００４１】
基板ボックス４０は、連結部材３１を切断することにより開封することができるものであるが、特に、基板ボックス本体４１及び基板ボックス蓋体４２とを破壊することなく開封することができるので、その基板ボックス本体４１と基板ボックス蓋体４２とを使用して、再度、検査が終了した制御回路基板を被包し封印するこができる。よって、基板ボックス４０を再利用することができるので、資源の有効利用が可能となるのである。
【００４２】
この連結部材３１の上面（図３の上側）には、番号表示Ｋが設けられている。例えば、ボックス蓋体４２の側壁４２ａに設けられた４個の連結部材３１の場合（図２参照）、「１」から「４」までの番号表示Ｋがそれぞれ表示されている。この各番号表示Ｋは、各一対の封印部材２０，３０が封印される順番を表している。よって、各封印部材２０とそれに対向する各封印部材３０とを「１」から「４」の各番号表示Ｋの順に封印金具１１を用いて封印するとともに、「１」から「４」の番号表示Ｋの順に連結部材をニッパ等の工具を用いて切断することができる。また、この番号表示Ｋは、連結部材３１の成形と同時に金型を用いて形成されており、連結部材３１の外表面に凸設されている。よって、連結部材３１が切断された場合には、その外表面に設けられた番号表示Ｋが損傷を受ける。連結部材３１を切断することにより不正行為を行った者が、不正行為を隠蔽する為に切断部分を接着剤等を用いて再接合する場合、損傷を受けた番号表示Ｋを連結部材３１の外表面に凸設された状態に修復し、切断の痕跡を隠蔽することは容易ではない。従って、不正行為の隠蔽を確実に行うことができないので、不正行為が早期に発見されると共に、かかる不正行為を抑制することができる。
【００４３】
次に、図６から図８を参照して、嵌合部材２を構成する各部材について説明する。図６及び図７は、嵌合部材２を構成する各部材の斜視図であり、図８は、図６のＶＩＩＩ−ＶＩＩＩ線における嵌合部材２の断面図であり、嵌合凸部６０が嵌合凹部５３へ嵌合された状態を示している。なお、図６から図８では、ボックス本体４１及びボックス蓋体４２の一部を省略して図示している。
【００４４】
嵌合部材２は、ボックス本体４１へ覆設されるボックス蓋体４２の位置決めを行うと共にこれらボックス本体４１とボックス蓋体４２とを封印するためのものであり、ボックス本体４１に配設されるケース５０と、ボックス蓋体４２に配設される嵌合凸部６０とから構成されている。この嵌合部材２がボックス本体４１及びボックス蓋体４２へ配設される配設位置は、基板ボックスが装着されるパチンコ機の機種に応じて異なる位置に設定されている。即ち、例えば、パチンコ機の機種Ａ（以下、機種Ａと称す）に装着されるものを基板ボックス４０とし（図６参照）、パチンコ機の機種Ｂ（以下、機種Ｂと称す）に装着されるものを基板ボックス７０とすると（図７参照）、嵌合凸部６０及びその嵌合凸部６０が嵌合される嵌合凹部５３は、機種Ａ及び機種Ｂでそれぞれ異なる位置に配設されている。よって、異なる機種間のボックス本体４１とボックス蓋体４２とでは、嵌合部材２の嵌合凸部６０と嵌合凹部５３とが対応していないため、かかるボックス本体４１へボックス蓋体４２を覆設することができない。なお、各ケース５０及び各嵌合凸部６０はそれぞれ略同一に構成されているので、以下、同一の部分には同一の番号を付してその説明は省略する。
【００４５】
嵌合凸部６０は、図６に示すように、ボックス蓋体４２の側壁に連結部材６１を介して取り付けられており、そのボックス蓋体４２がボックス本体４１へ覆設される場合に、ボックス本体４１の側壁に配設されるケース５０の嵌合凹部５３へ嵌合されるものである。この嵌合凸部６０は、底面壁６０ａと、前面壁６０ｂと、一対の側面壁６０ｃ，６０ｄとを備えており、これらの各部材６０ａ〜６０ｃが合成樹脂材料等で一体に成形されている。底面壁６０ａは、連結部材６１の下部（図６の下側）に設けられており、この底面壁６０ａの縁辺からは、前面壁６０ｂ及び一対の側面壁６０ｃ，６０ｄが立設されている。
【００４６】
嵌合凸部６０の外面側は、後述するケース５０の嵌合凹部５３に嵌合された場合に、その嵌合凹部５３の内面側と当接可能に形成されている。即ち、底面壁６０ａ及び前面壁６０ｂの外面側がケース５０の底面壁５０ａ及び前面壁５０ｂの内面側と当接され（図８参照）、一対の側面壁６０ｃ，６０ｄの外面側が、ケース５０の側面壁５０ｄ及び仕切板５１の内面側と当接可能に形成されている。よって、ボックス本体４１へボックス蓋体４２を覆設する場合、嵌合凸部６０の外面側と嵌合凹部５３の内面側との当接面間へ接着剤を塗布することによりかかる嵌合凸部６０及び嵌合凹部５３とを接着することができる。従って、かかる接着により、ケース本体４１とケース蓋体４２とを開封不可能に封印することができるのである。
【００４７】
このように、嵌合凸部６０は、底面部６０ａだけでなく前面壁６０ｂ及び側面壁６０ｃ，６０ｄも嵌合凹部５３の内面へ当接可能に形成されているので、接着面積を十分に確保することができ、嵌合部材２を確実に接着することができるのである。なお、嵌合凸部６０の外面側と嵌合凹部５３の内面側との各当接面は、完全に密着している必要はなく、所定の隙間を有していても良い。この場合には、硬化することにより接着特性を発現させる硬化型の接着剤を使用し、当接面間の隙間にその接着剤を充填するすることが望ましい。
【００４８】
連結部材６１は、嵌合凸部６０とボックス蓋体４２とをそれぞれ連結するためのものであり、断面視矩形状を有する薄板状に形成される。この連結部材６１は、図６に示すように、その一端が嵌合凸部６０の底面壁６０ａ及び前面壁６０ｂに配設されると共に他端がボックス蓋体４２の側壁に配設されており、これらが一体に形成されている。よって、嵌合凸部６０は、連結部材６１の長さ寸法分だけボックス蓋体４２から離間して配置され、所定の間隔が形成されている。
【００４９】
ここで、制御回路基板を基板ボックス４０内に封印した後、かかる制御回路基板に不正行為（例えば、不正なＲＯＭへの交換等）が施された疑いが生じた場合には、その制御回路基板（のＲＯＭ）を検査するために基板ボックス４０を開封する必要がある。この場合、基板ボックス４０を開封するためには、上記したように、封印部材３０の連結部材３１を切断するとともに（図５参照）、嵌合凸部６０の連結部材６１をニッパ等の工具により切断する。嵌合凸部６０とボックス蓋体４２の側壁との間には、ニッパ等の工具の刃先が入り込むための間隔が形成されている。従って、連結部材６１を切断する場合、ニッパ等の工具を用いて容易に切断することができる。更に、この連結部材６１の下端面（図８の下側）とケース５０の底面壁５０ａの上端面（図８の上側）との間には、底面壁５０ａに設けられた溝５０ｅにより空隙Ｔが設けられている（図８参照）。よって、かかる空隙Ｔにニッパ等の工具の刃先を入り込ませることができるので、底面壁５０ａの上端面に邪魔されること無く連結部材６１を容易に切断することができ、切断作業の作業性を向上させることができる。
【００５０】
基板ボックス４０は、連結部材６１を切断することにより開封することができるものであるが、特に、基板ボックス本体４１及び基板ボックス蓋体４２とを破壊することなく開封することができるので、その基板ボックス本体４１と基板ボックス蓋体４２とを使用して、再度、検査が終了した制御回路基板を被包し封印するこができる。よって、基板ボックス４０を再利用することができるので、資源の有効利用が可能となるのである。
【００５１】
ケース５０は、ボックス本体４１の側壁に配設され、このボックス本体４１へボックス蓋体４２が覆設される場合に嵌合凸部６０が嵌合される嵌合凹部５３を備えている。このケース５０は、ボックス本体４１の側壁から外方へ向けて略水平に延設される底面壁５０ａと、その底面壁５０ａの縁辺から立設される前面壁５０ｂ及び一対の側面壁５０ｃ、５０ｄとを備えている。これらの各部材５０ａ〜５０ｄは、合成樹脂材料等でボックス本体４１と一体に成形されており、これらの各部材５０ａ〜５０ｄによって、ケース５０は上面及び側面（図６の上側及び右奥側）が開放した中空箱状に形成されている。
【００５２】
また、ケース５０により形成される内部空間には、仕切板５１と障壁板５２とが底面壁５０ａ上に立設されている。仕切板５１は、ケース５０の内部空間を区画し嵌合凸部６０が嵌合される嵌合凹部５３を形成するためのものであり、ケース５０の側面壁５０ｄ（図６の右側）と所定の間隔を隔てて対向されている。かかる側面壁５０ｄと仕切板５１との対向面間の間隔は、嵌合凸部６０の幅方向寸法（一対の側面壁６０ｃ，６０ｄの非対向面間の距離）と対応しており、この側面壁５０ｄと仕切板５１との対向面間に嵌合凸部６０が嵌合可能な嵌合凹部５３が形成されている。この嵌合凹部５３に嵌合凸部６０が嵌合された場合には、上記したように嵌合凹部５３の内面側と嵌合凸部６０の外面側とが当接され、かかる当接面同士を接着することにより嵌合部材２が接合されボックス本体４１とボックス蓋体４２とを封印することができる。
【００５３】
仕切板５１により区画されたケース５０の他の内部空間（図６の左側）には、障壁板５２が立設されている。障壁板５２は、ボックス蓋体４２をボックス本体４１へ覆設する場合に、嵌合凸部６０がケース５０の内部空間内に嵌合されることを防止する為のものであり、仕切板５１とケース５０の側面壁５０ｂとの対向面間に立設されている。例えば、機種Ｂに使用されるボックス蓋体４２（図７参照）が機種Ａに使用されるボックス本体４１（図６参照）へ誤って覆設された場合には、ボックス蓋体４２の嵌合凸部６０がボックス本体４１のケース５０に設けられた障壁板５２に係止されてしまい、ボックス蓋体４２をボックス本体４１へ覆設することができない。よって、パチンコ機の製造工程において、作業者が他機種のボックス本体或いはボックス蓋体を間違えて使用してしまい、間違った組み合わせにより基板ボックスを組み立ててしまうことを防止することができるのである。
【００５４】
図８に示すように、ケース５０の底面壁５０ａは階段状に屈曲して形成されており、かかる屈曲により、この底面壁５０ａの上面側には溝５０ｅが設けられている。よって、この溝５０ｅにより、底面壁５０ａの上面側（図８の上側）と、嵌合凸部６０をボックス蓋体４２に連結する連結部材６１の下端面（図８の下側）との間には空隙Ｔが形成されている。したがって、かかる空隙Ｔにニッパ等の工具の刃先を入り込ませることができるので、底面壁５０ａの上端面に邪魔されること無く連結部材６１を容易に切断することができ、切断作業の作業性を向上させることができる。
【００５５】
また、嵌合凸部６０と嵌合凹部５３とを接着剤により接着する場合、嵌合凹部５３に多量の接着剤が塗布されると、余分な接着剤がボックス本体４１とボックス蓋体４２との合わせ目部分（ボックス蓋体４２の挿嵌凹部４４とボックス本体４１のガイド板４３との対向面間）へ流出してしまうおそれがあり、その場合には、ボックス本体４１とボックス蓋体４２とが流出した接着剤により接着固定されてしまい、基板ボックス４０は、ボックス本体４１とボックス蓋体４２とを破壊しない限り開封できない。そのため、基板ボックス４０を再利用することができなくなってしまう。しかし、上記の様に、底面壁５０ａの上面側には、溝５０ｅが設けられ、更に、その溝５０ｅは、底面壁５０ａの上面側の中でも特にボックス本体４１とボックス蓋体４２との合わせ目部分側（図８の右側）に設けられている。よって、接着剤はボックス本体４１とボックス蓋体４２との合わせ目部分まで流出することなく、溝５０ｅ内に貯留されるので、ボックス本体４１とボックス蓋体４２との合わせ目部分が接着剤により接着固定されてしまうことを防止することができる。よって、嵌合凸部６０の連結部材６１を切断することにより開封された基板ボックス４０を再度利用して制御回路基板を収納し封印することができるのである。
【００５６】
また、ケース５０は、ボックス本体４１の側壁から外方へ突設されると共にボックス蓋体４２が覆設される側の面（図６の上側）が開放して形成されており、嵌合凸部６０は、かかるケース５０に対応してボックス蓋体４２の側壁から突設されている。即ち、嵌合部材２は、ボックス本体４１へボックス蓋体４２が覆設され、パチンコ機へ装着された場合に、ケース５０に嵌合された嵌合凸部６０が視認可能な位置に配設されている（図１参照）。よって、パチンコ機から基板ボックス４０を取り外すこと無く嵌合部材２を視認できるので、連結部材６１に切断痕跡が無いか、或いは、異なる機種のボックス蓋体４２が使用されていないか等を容易に確認することができる。
【００５７】
ここで、ボックス本体４１及びボックス蓋体４２は、成形金型を用いて所望の形状に型成形されるものであり、嵌合部材２は、そのボックス本体４１及びボックス蓋体４２を成形する成形金型中に部分的にはめ込まれる入子型によって所望の形状に型成形される。そのため、嵌合部材２の嵌合凸部６０及び連結部材６１は、ボックス蓋体４２を成形する成形金型にはめ込まれる入子型を変更することによりボックス蓋体４２への配設位置を変更することができる。即ち、ボックス蓋体４２を成型する成型金型中へ一の入子型をはめ込み、型成形することにより、嵌合凸部６０及び連結部材６１はボックス蓋体４２の所定の位置（機種Ａに対応した位置）に配設され（図６参照）、一の入子型に代えて他の入子型を成形金型中へはめ込み、型成型することにより、一の入子型を使用した場合と異なる位置（機種Ｂに対応した位置）に嵌合凸部６０及び連結部材６１をボックス蓋体４２へ配設させることができるのである（図７参照）。
【００５８】
一方、嵌合部材２のケース５０は、ボックス本体４１を成形する成形金型中にはめ込まれる入子型を変更することにより、ケース５０の内部空間に設けられる嵌合凹部５３の配設位置が変更される。即ち、ボックス本体４１を成型する成型金型中へ一の入子型をはめ込み、型成形することにより、障壁板５２が仕切板５１と側面壁５０ｃとの対向面間の空間（図６の左側）に形成され、機種Ａの嵌合凸部６０に対応した位置に嵌合凹部５３が形成される（図６参照）。そして、一の入子型に代えて他の入子型を成形金型中へはめ込み、型成型することにより、障壁板５２が仕切板５１と側面壁５０ｄとの対向面間の空間（図７の右側）に形成され、機種Ｂの嵌合凸部６０に対応した位置に嵌合凹部５３が形成される（図７参照）。このように入子型を使用して嵌合凸部６０及び嵌合凹部５３のボックス本体４１、ボックス蓋体４２への配設位置を変更することができるので、基板ボックスをパチンコ機の機種毎に異なる形状に形成する場合でも、基板ボックス４０，７０の骨格となるボックス本体４１及びボックス蓋体４２を成型するための成型金型をパチンコ機の機種の種類分だけ準備する必要がなく、設計コストや成形金型等の製造コストを低減することができるのである。
【００５９】
このように、本実施例の基板ボックス４０は複数の機種に使用されるものであるが、ボックス本体４１及びボックス蓋体４２はすべての機種において共通化されている。即ち、ボックス本体４１及びボックス蓋体４２はすべての機種で共通の形状のものが使用されている。同様に、封印部材１がそのボックス本体４１及びボックス蓋体４２へ配設される配設位置は、すべての機種で共通の位置とされている。一方、嵌合凹部５３及び嵌合凸部６０がそのボックス本体４１及びボックス蓋体４２へ配設される配設位置は、そのボックス本体４１及びボックス蓋体４２（即ち、基板ボックス４０）が使用される機種に応じて、異なる位置とされている。即ち、パチンコ機の機種がｎ種類ある場合には、ボックス本体４１及びボックス蓋体４２へ嵌合凹部５３及び嵌合凸部６０を異なる位置へ配設することにより、ｎ種類のボックス本体４１及びボックス蓋体４２が形成される。よって、例えば、機種Ａに使用されるボックス本体４１又はボックス蓋体４２に対しては（図６参照）、嵌合部材２の配設位置が異なる機種Ｂに使用されるボックス蓋体４２またはボックス本体４１を用いて制御回路基板を被包することができない。従って、異なる機種から流用したボックス本体４１或いはボックス蓋体４２を使用して制御回路基板に変更を加える不正行為を防止することができる。また、嵌合部材２を入子型により成形することができるので製造コストを低減することができるのである。
【００６０】
また、嵌合凹部５３及び嵌合凸部６０は、上記のように、パチンコ機の機種に応じてボックス本体４１及びボックス蓋体４２への配設位置が変更されたが、そのような嵌合凹部５３及び嵌合凸部６０（以下この段落において、「第１嵌合部材」と略す。）とは別に、すべての機種で共通の位置へ配設される嵌合凹部および嵌合凸部（以下この段落において、「第２嵌合部材」と略す。）を別に設けても良い。この場合には、第２嵌合部材の配設位置が各機種間で共通であることから、第２嵌合部材をボックス本体４１或いはボックス蓋体４２を成形する成形金型により成形することができる。よって、その第２嵌合部材を成型するために入子型を別途準備する必要がないので製造コストを低減できる。また、この第２嵌合部材を設けることにより、接着可能な嵌合部材の数が増加するので、基板ボックス４０の封印をより確実なものとし不正を抑制することができるのである。この場合、例えば、最初の接着（第１回目）では、第１嵌合部材だけを接着し、制御回路基板の検査等により基板ボックス４０を一端開封した後には、最初の接着（第１回目）で使用しなかった第２嵌合部材を接着固定（第２回目）し基板ボックス４０を封印するようにしても良い。このように構成することにより、接着剤を用いた基板ボックス４０の封印および開封を複数回（少なくとも２回）行うことができるのである。
【００６１】
また、嵌合部材２は、ボックス本体４１及びボックス蓋体４２の一の側壁（本実施例では、側壁４１ｃ，４２ｃ（図２参照））にだけ配設した。ここで、嵌合部材２を２つ以上の側壁、例えば、直交する２つの側壁（例えば、側壁４１ａ，４２ａと側壁４１ｃ，４２ｃ（図２参照））に配設する場合には、嵌合部材２を形成するための入子型が大型化してしまったり、或いは、複数の入子型が必要になってしまうため、製造コストが増加してしまうという問題が生じてしまう。しかし、本実施例のように、嵌合部材２を一の側壁にのみ配設することにより、一つの入子型だけで嵌合部材２を成型することができ、また、入子型を小型化することができるので、その結果、製造コストを低減することができるのである。
【００６２】
なお、嵌合凹部５３及び嵌合凸部６０は、上記のように、パチンコ機の機種に応じてその配設位置が変更されると説明したが、嵌合凹部５３及び嵌合凸部６０の配設位置を変更することにより基板ボックス４０の外形が遊技機の機種に応じて変化するというわけではない。これは、嵌合凹部５３は、ケース５０内の仕切板５１と障壁板５２との立設位置を変更することによりその配設位置が変更され、ケース５０の外形が変化するわけではないからである（図６参照）。一般に、基板ボックス４０の取着部の周辺は、電気的コネクターや他の基板ボックス等が複雑に配設されており取付スペースに余裕が少ない。しかし、上記した基板ボックス４０は、その外形を変更することなく嵌合凹部５３及び嵌合凸部６０をパチンコ機の機種に応じて配設位置を変更することができるので、基板ボックス４０の周辺に配設される各部品の形状、配設位置等を機種毎に設計する必要がなく、設計コストを低減することができるのである。
【００６３】
但し、基板ボックス４０は、嵌合凹部５３及び嵌合凸部６０の配設位置を変更することによりその外形が遊技機の機種に応じて変化するようにしても良い。即ち、ケース５０自体の配設位置がボックス本体４１上で変更されるのである。その場合には、パチンコ機の裏面側に、基板ボックス４０の外形に対応する嵌合部を設け、他機種の（即ち、外形が異なる）基板ボックス４０を取り付けられないようにしても良い。
【００６４】
次に、上述した基板ボックス４０により制御回路基板を封印する方法について説明する。まず、ボックス本体４１内に制御回路基板を配設して固定した後、封印具１の各封印部材２０，３０を対向させると共に嵌合部材２の各嵌合凸部６０と嵌合凹部５３とを対向させて、ボックス本体４１にボックス蓋体４２を覆設する。かかる覆設により、各封印部材２０の嵌合溝２０ｆに封印部材３０の嵌合突起３０ｅが嵌合され、また、嵌合凹部５３に嵌合凸部６０が嵌合される。嵌合凸部６０の外表面と嵌合凹部５３の内面側との対向面には、予め接着剤を塗布しておいても良く、また、ボックス本体４１へボックス蓋体４２を覆設した後に、かかる対向面間へ接着剤を充填しても良い。そして、計１２個の各封印部材３０の係合穴３０ａおよび挿入穴３０ｃ内に封印金具１１をそれぞれ挿入して、その頭部１１ｂを押下し封印金具１１を封印部材３０内に押し込む。
【００６５】
封印金具１１が押し込まれると、封印金具１１の係止爪１１ｃは、挿入穴３０ｃにより板部１１ａ側へ押圧され徐々に弾性変形する。更に、封印金具１１を挿入し続けると、係止爪１１ｃが弾性的に復元し、その係止爪１１ｃは、係止面３０ｄに係止されるとともに保持部Ｈに保持される。よって、各封印金具１１を封印部材３１内に抜き取り不可能な状態で保持することができるとともに、封印金具１１の紛失を防止することができる（図４参照）。
【００６６】
各封印部材３０内に１２個の各封印金具１１を保持した後、封印具１の封印部材３０のうち、「１」の番号表示Ｋの付された連結部材３１によりボックス蓋体４２に固定されているものに挿入された封印金具１１の頭部１１ｂを押下して、その封印金具１１を更に押し込む。封印金具１１が押し込まれると、封印金具１１の係止爪１１ｃは、挿入穴２０ａのテーパー面を介して板部１１ａ側へ徐々に弾性変形する。封印金具１１を挿入し続けると、係止爪１１ｃが弾性的に復元して、係止爪１１ｃが封印部材２０の係止面２０ｂに係止され、封印金具１１が封印部材２０内にて抜き取り不可能な状態で保持される。一方、封印金具１１の頭部１１ｂは、封印部材３０の係合穴３０ａ内に保持される。
【００６７】
その結果、封印金具１１は、封印部材２０内から抜き取り不可能となり、更に、封印金具１１の第１係合部１１ｂ１、第２係合部１１ｂ２は、封印部材３０の第１係合面３０ｂ１、第２係合面３０ｂ２に係合され（図５参照）、同時に、嵌合凸部６０の外面側と嵌合凹部５３の内面側とが接着され、嵌合部材２が分離不可能に結合されているので（図８参照）、基板ボックス４０のボックス本体４１とボックス蓋体４２とが開封不可能に連結され、基板ボックス４０を確実に封印することができる。よって、基板ボックス４０に被包された制御回路基板上の制御用ＲＯＭ等を不適法に取り外して、パチンコ機５５の遊技内容を変更する不正行為を防止することができる。また、封印部材２０，３０或いは嵌合部材２を破壊、切断等すれば基板ボックス４０を開封することができるが、その場合には、基板ボックス４０が開封された痕跡を確実に残すことができる。即ち、不正行為が行われたか否かを即座に発見することができる。
【００６８】
基板ボックス４０を開封する場合には、「１」の番号表示Ｋが付された封印部材３０の連結部材３１及び嵌合凸部６０の連結部材６１をニッパ等により切断する必要がある。よって、不正行為を行った者が、基板ボックス４０を開封して制御回路基板に不正改造等の不正行為を行った後、その不正行為を隠蔽する場合には、連結部材３１，６１の切断部分に接着剤等を塗布し、かかる切断部分を再接合する必要がある。また、切断により損傷を受けた「１」の番号表示Ｋを修復して、切断の痕跡を隠蔽することは容易ではない。従って、不正行為の隠蔽を確実に行うことができないので、不正行為が早期に発見されるとともに、かかる不正行為を抑制することができる。
【００６９】
次に、図９、図１０を参照して第２実施例について説明する。図９は、第２実施例における嵌合部材９０の配設された基板ボックス８０が開封された状態を示す斜視図であり、第１実施例では、嵌合凹部５３がボックス本体４１の側壁から外方へ突設されたケース５０に設けられていたのに対し、第２実施例では、挿嵌凹部９１がボックス本体８１の側壁に凹設されている。図１０は、基板ボックス４０を封印した状態における封印具１の部分断面図である。なお、図９では、基板ボックス８０の一部を省略して図示している。また、前記した第１実施例と同一の部分には同一の符号を付して、その説明は省略する。
【００７０】
基板ボックス８０は、第１実施例と同様に、ボックス本体８１とそのボックス本体８１に覆設されるボックス蓋体８２とを備えている。嵌合部材９０は、ボックス本体８１の側壁に凹設される嵌合凹部９１とボックス蓋体８２の側壁から突設される嵌合凸部９２とを備えており、ボックス本体８１へボックス蓋体８２が覆設される場合には、嵌合凸部９２が嵌合凹部９１へ嵌合される。この嵌合凹部９１及び嵌合凸部９２は、パチンコ機の機種毎に異なる位置に配設されており、異なる機種間では嵌合凹部９１へ嵌合凸部９２を嵌合することができないため、ボックス本体８１へボックス蓋体８２を覆設することができない。これら嵌合凹部９１及び嵌合凸部９２は、第１実施例と同様に、ボックス本体８１及びボックス蓋体８２を成形する成形金型中に部分的にはめ込まれる入子型によって所望の形状に型成形される。
【００７１】
また、ボックス蓋体８２の上面（図９の上側）には、機種名Ｎが嵌合凸部９２の近傍に突設されている。この機種名Ｎは、基板ボックス８０が使用されるパチンコ機の機種名を識別するためのものであり、機種毎に異なる名称が表示されている。この機種名Ｎは嵌合凸部９２の近傍に設けられているので、かかる機種名Ｎを成形する場合には、機種名Ｎを成形するための入子型と嵌合凸部９２を成形するための入子型とを共用することができる。よって、パチンコ機の機種毎に異なる機種名Ｎを成形する場合にも、機種名Ｎを成形するための入子型と嵌合凸部９２を成形するための入子型とをそれぞれ別々に、パチンコ機の機種の種類分だけ準備する必要がないので、設計コストや成形金型等の製造コストを低減することができるのである。なお、第１実施例においても、同様に、嵌合凹部５３及び嵌合凸部６０を成形するための入子型により機種名Ｎをボックス本体４１及びボックス蓋体４２の片方あるいは両方に成形しても良い。
【００７２】
また、第１実施例の封印金具１１は、その係止爪１１ｃが封印部材２０の挿入穴２０ａと封印部材３０の係止面３０ｄとにより形成された保持部Ｈに収納された状態で保持されたが、第２実施例の封印金具１１は、挿入穴３０ｃの内面側に設けられた係止面３０ｄにより保持される。
【００７３】
封印部材３０の挿入穴３０ｃは、図１０に示すように、階段状に形成されており、係止面３０ｄはその挿入穴３０ｃの内面側であって階段状の段部下側（図１０下側）の面に形成されている。
【００７４】
封印金具１１の係止爪１１ｃは、図１０に示すように、封印金具１１の板部１１ａが封印部材３０の挿入穴３０ｃへ挿入され押し込まれた場合、挿入穴３０ｃにより板部１１ａ側へ押圧され徐々に弾性変形し、更に挿し込み続けると、係止爪１１ｃは、弾性的に復元して封印部材３０の係止面３０ｄに係止され保持される。よって、この封印金具１１は、係止爪１１ｃが係止面３０ｄにより係止されることにより封印部材３０内に取り外し不可能な状態で保持されるのである。
【００７５】
更に、この封印金具１１は、係止爪１１ｃの弾性復元力により板部材１１ａの背面側（係止爪１１ｃと反対側、図１０の左側）が挿入穴３０ａの内壁面（図１０の左側）へ向かって押圧されるので、下方へ落下することなく封印部材３０内に保持されるとともに、その板部１１ａが揺動することなく安定した状態で固定されている。よって、このように封印金具１１が封印部材３０内に保持された状態において、基板ボックス４０のボックス蓋体４２が開封され、再度、そのボックス蓋体４２がボックス本体４１へ被せられる場合（例えば、封印された基板ボックス４０を連結部材３１の切断により開封し、制御基板回路を検査した後に、基板ボックス４０を再度封印する場合）には、封印金具１１の板部１１ａの先端が揺動することなく安定した状態で固定されているので、その板部１１ａの先端を封印部材２０の２０ａへ容易に挿入することができ、ボックス蓋体４２をボックス本体４１へスムーズに被せることができるのである。
【００７６】
以上、実施例に基づき本発明を説明したが、本発明は上記実施例に何ら限定される物ではなく、本発明の趣旨を逸脱しない範囲内で種々の改良変形が可能であることは容易に推察できるものである。
【００７７】
例えば、本実施例では、基板ボックス４０の各辺に封印部材２０，３０が一対となった封印具１が各４個ずつ設けられた場合を説明したが、その各辺に４個以下、或いは、それ以上の個数の封印具が設けられた構成とすることは当然に可能である。また、本実施例では、封印部材２０，３０が一対となった封印具１が基板ボックス４０の３辺に設けられたが、１辺だけに設けられていても良く、４辺すべてに設けられていても良い。更に、封印具１が基板ボックス４０の各辺に設けられる態様としては、例えば中央に一個だけ設けられていても良く、複数個が所定間隔を隔てつつ点在して設けられていても良い。
【００７８】
同様に、本実施例では、ケース５０と嵌合凸部６０とからなる嵌合部材２は基板ボックス４０の１辺に２個設けられた場合を説明したが、基板ボックス４０の１辺に１個だけ、或いは、２個以上の個数の嵌合部材２が設けられた構成とすることは当然に可能である。また、本実施例では、嵌合部材２を基板ボックス４０の１辺だけに設けたが、対向する２辺、或いは、直交する２辺に設けても良く、３辺設けても、４辺すべてに設けても良い。なお、複数個の嵌合部材２が設けられた場合には、その中の少なくとも一つを、封印された基板ボックス４０を開封した後に再度その基板ボックス４０を封印するための予備としても良い。即ち、ｍ個の嵌合部材２が設けられた場合には、接着剤を用いて嵌合部材２を接着固定する基板ボックス４０の封印およびその嵌合部材を切断することによる基板ボックス４０の開封を最大ｍ回繰り返し実行することができる。
【００７９】
更に、封印具１と嵌合部材２とが基板ボックスの各辺に混在して設けられる構成とすることは当然に可能であり、封印具１と嵌合部材２とを交互に設けたり、各辺毎に封印具１と嵌合部材２とをまとめて設けても良い。
【００８０】
また、第１実施例では、嵌合凹部５３が、ケース５０の有する一対の側壁面５０ｃ，ｄの一方と仕切板５１との対向面間に形成される場合を説明したが、仕切板５１及び障壁板５２の配設位置を調整し、かかる仕切板５１と障壁板５２との対向面間に嵌合凹部５３が形成される構成としても良い。更に、ケース５０には１枚の障壁板５２が立設される構成としたが、２枚以上の障壁板５２がケース５０に立設される構成としても良い。その場合には、かかる２枚の障壁板の対向面間を嵌合凹部５３としても良い。
【００８１】
また、本実施例では、封印金具１１がステンレス鋼材等の金属材料で構成される場合を説明したが、封印金具１１を樹脂材料等で構成することは当然に可能である。
【００８２】
更に、本発明を上記実施例とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として特別遊技状態となるパチンコ機として実施しても良い。更に、パチンコ機以外にも、アレパチ、雀球、スロットマシン、いわゆるパチンコ機とスロットマシンとが融合した遊技機などの各種遊技機として実施するようにしても良い。
【００８３】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の変動が停止され、その停止時の確定識別情報が特定識別情報であることを必要条件として、遊技者に有利な特別遊技状態を発生させる特別遊技状態発生手段とを備えたスロットマシン」となり、この場合、遊技媒体はコイン、メダル等が代表例として挙げられる。
【００８４】
また、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００８５】
以下に本発明の変形例を示す。請求項１記載の遊技機において、前記第１封印部材または第２封印部材の少なくとも一方は、その第１封印部材および第２封印部材が非連結状態の場合に、前記連結封印部材を保持するための保持部を備えていることを特徴とする遊技機１。よって、第１封印部材および第２封印部材が非連結状態の場合、連結封印部材は第１封印部材または第２封印部材の少なくとも一方に設けられた保持部により保持されるので、連結封印部材の紛失を確実に防止することができる。
【００８６】
遊技機１において、前記保持部は、前記第２封印部材に設けられており、前記連結封印部材は、その保持部に前記連結封印部材の先端部が前記第１封印部材側に向かって突出した状態で保持されることを特徴とする遊技機２。連結封印部材はその先端部が第１封印部材に向かって突出した状態で第２封印部材に保持されているので、第１封印部材と第２封印部材との対向面を容易に合致させることができ、ボックスカバーをボックスベースへ覆設する作業をスムーズに行うことができる。
【００８７】
請求項１記載の遊技機または遊技機１若しくは２において、前記第１封印部材のストッパ部材による前記連結封印部材の係止部の係止または前記保持部による前記連結封印部材の保持を可能とするために、前記連結封印部材を前記第１封印部材または第２封印部材の所定の位置へ位置決めするようになっていることを特徴とする遊技機３。遊技機３によれば、連結封印部材は、第１封印部材または第２封印部材の所定の位置へ位置決めされる。よって、連結封印部材の位置決めにより、この連結封印部材の係止部を第１封印部材のストッパ部材に確実に係止させることができると共に、連結封印部材を保持部により確実に保持させることができる。
【００８８】
ここで、例えば、連結封印部材が所定位置へ位置決めされないと、第１封印部材と第２封印部材とを連結する連結位置へ連結封印部材が操作された場合にも、連結封印部材の係止部と第１封印部材のストッパ部との位置関係が対応していないために、第１封印部材と第２封印部材とが連結されないことがある。よって、第１封印部材と第２封印部材とを対向させつつ合致させ、これらを連結封印部材により連結した作業者は、実際には連結封印部材の係止部が第１封印部材のストッパ部に係止されていないにも関わらず、かかる状態を認識しないまま、遊技機用基板の封印作業を終了してしまうおそれがある。この場合には、遊技機用基板ボックス内に制御回路基板を確実に封印することができず、遊技機用基板ボックス内に収納された制御回路基板からＲＯＭを取り外して交換し遊技内容を変更する不正行為を防止することができない。
【００８９】
しかしながら、遊技機３によれば、連結封印部材はその連結封印部材の係止部と第１封印部材のストッパ部とが対応する位置関係となるように位置決めされる。よって、作業者の誤操作に起因する遊技機用基板ボックス内への制御回路基板の封印不良を防止することができるのである。
【００９０】
請求項１記載の遊技機または遊技機１から３のいずれかにおいて、第２封印部材は、前記第１封印部材のストッパ部と連通する断面視横長の連通口と、その連通口の一方の短辺から離間して立設される第２縦壁と、その第２縦壁と対向しつつ連通口の他方の短辺側に立設され、その他方の短辺からの離間距離が前記第２縦壁と一方の短辺とがなす離間距離に比べて大きな第１縦壁とを備えており、前記連結封印部材は、前記第２封印部材の連通口に対応する形状に形成されると共にその連通口へ挿入される板部材を備え、連結封印部材の係止部は、その板部材の一方の面から傾斜して突設され、連結封印部材の係合部は、板部材の長手方向端部に形成されると共に、板部材の一方の側辺から突設される第２係合部と、その第２係合部が突設される側辺と反対側の他方の側辺から突設されており、その他方の側辺から突出する突出量が前記第２係合部と一方の側辺とがなす突出量に比べて大きな第１係合部とを備えていることを特徴とする遊技機４。遊技機４によれば、連結封印部材の板部材が一の方向を指向して第２封印部材の連通口に挿入される場合には、その板部材の端部に形成された第１係合部が第２封印部材の第２縦壁に係止され、板部材の連通口への挿入が禁止される。一方、連結封印部材の板部材が他の方向を指向して第２封印部材の連通口に挿入される場合には、板部材の第２係合部、第１係合部が第２封印部材の第２縦壁、第１縦壁に係止されることなく板部材が連通口内へ挿入され、連結封印部材の係止部がその連通口と連通する第１封印部材のストッパ部に係止されると共に、連結封印部材の係合部が第２封印部材に係合され、第１封印部材と第２封印部材とが連結される。よって、作業者が連結封印部材により遊技機用基板ボックスを封印する際には、連結封印部材が第１縦壁、第２縦壁により位置決めされるのでその作業性が向上すると共に、連結封印部材の係止部を第１封印部材のストッパ部材に確実に係止させることができ、また、連結封印部材を誤った向きのまま挿入した誤操作に起因する遊技機用基板ボックスの封印不良を防止することができる。
【００９１】
遊技機４において、前記第２封印部材の連通口は、前記ボックスベースまたはボックスカバーの側面であって、第２封印部材が配設される側面と略平行に形成されていることを特徴とする遊技機５。遊技機５によれば、第２封印部材の連通口へ挿入される連結封印部材は、横幅方向に比べて板厚が十分薄い板状体から構成されているので、第１封印部材及び第２封印部材がボックスベース及びボックスカバーから突出する寸法を減少させることができる。よって、遊技機用基板ボックスを小型化することができ、他の部材を取り付ける空間が減少することを防止することができる。
【００９２】
請求項１記載の遊技機または遊技機１から５のいずれかにおいて、前記第１封印部材および第２封印部材の前記ボックスベースまたはボックスカバーに接合される接合部と反対側の外形は、平面状に形成されると共に、前記第１封印部材および第２封印部材が接合される側のボックスベースまたはボックスカバーの側面と略平行に形成されていることを特徴とする遊技機６。よって、第１封印具及び第２封印具の厚さ寸法を薄型化することができるので、第１封印部材及び第２封印部材がボックスベース及びボックスカバーから突出する寸法を減少させることができる。よって、遊技機用基板ボックスを小型化することができ、他の部材を取り付ける空間が減少することを防止することができる。
【００９３】
請求項１記載の遊技機または遊技機１から６のいずれかにおいて、前記第２封印部材は接合部を介して前記ボックスベースまたはボックスカバーに接合されていることを特徴とする遊技機７。よって、その接合部をニッパー等の切断工具により切断することにより、前記ボックスベースまたはボックスカバーを損壊することなく遊技機用基板ボックスを開封することができる。従って、例えば、遊技機用基板ボックスに封印される制御回路基板のＲＯＭをチェックする必要が発生した場合、遊技機用基板ボックスを開封し制御回路基板を取り出しチェックした後、その遊技機用基板ボックスは、再び制御回路基板を収納し封印することができる。
【００９４】
請求項１記載の遊技機または遊技機１から７のいずれかにおいて、前記第２封印部材の接合部は、前記第１封印部材との間に空隙を有して設けられていることを特徴とする遊技機８。よって、第２封印部材の接合部をニッパー等の切断工具により切断する場合には、前記第２封印部材の接合部と前記第１封印部材との間に設けられた空隙にその工具の刃先を入り込ませることができるので、第１封印部材に邪魔されること無く切断作業を行うことができる。従って、接合部を容易に切断することができ、切断作業の作業性を向上させることができる。
【００９５】
請求項１記載の遊技機または遊技機１から８のいずれかにおいて、前記第２封印部材の接合部は、その外表面に凹設或いは凸設された識別模様を備えていることを特徴とする遊技機９。よって、第２封印部材の接合部が切断された場合には、その外表面に設けられた識別模様が損傷を受ける。接合部を切断することにより不正行為を行った者が、不正行為を隠蔽する為に切断部分を接着材等を用いて再接合する場合、損傷を受けた識別模様を再生し、切断の痕跡を隠蔽することは容易ではない。従って、不正行為の隠蔽を確実に行うことができないので、不正行為が早期に発見されると共に、かかる不正行為を抑制することができる。
【００９６】
遊技機９において、前記第２封印部材の接合部が備える識別模様は、数字であることを特徴とする遊技機１０。よって、数字を用いて識別模様を構成することによって、不正行為を抑制するだけでなく、第１封印部材、第２封印部材が複数個設けられている場合に、これらの連結順序等の情報を作業者に表示することができる。
【００９７】
請求項１記載の遊技機または遊技機１から１０のいずれかにおいて、前記第１封印部材の底面部には、連結封印部材によって第２封印部材と連結された場合に、第１封印部材内へ挿入された連結封印部材の先端部と第１封印部材の外部とを区画する底面区画壁が設けられていることを特徴とする遊技機１１。よって、連結封印部材の先端部が外部に露出していないので、連結封印部材の先端部が工具等によって反挿入方向へ向かって押圧され、連結封印部材が取り外されてしまうことを防止することができる。
【００９８】
制御部品を搭載した回路基板を収納するために１面が開放されたボックスベースと、そのボックスベースの開放部分に覆設され、そのボックスベースとともに前記回路基板を収納するボックスカバーとを有する遊技機用基板ボックスを備えた遊技機において、前記遊技機用基板ボックスは、前記ボックスベース又はボックスカバーの一方における一の側壁部の外側に略凸状に設けられる嵌合凸部と、前記ボックスベース又はボックスカバーの他方における一の側壁部の外側に略凹状に設けられ、前記ボックスカバーがボックスベースの開放部分へ覆設された場合に前記嵌合凸部が嵌合される嵌合凹部とを備えていることを特徴とする遊技機１２。遊技機１２によれば、遊技機用基板ボックスを封印するための接着部が提供され、よって遊技機用基板ボックスを確実に封印して遊技内容を変更する不正行為を防止することができ、また、その遊技機用基板ボックスを再利用可能に開封することができる遊技機用基板ボックス嵌合部材が提供される。
【００９９】
遊技機１２において、前記遊技機用基板ボックスは、前記嵌合凸部の外面側とその嵌合凸部が嵌合される嵌合凹部の内面側とを接着することにより封印されるものであることを特徴とする遊技機１３。遊技機１３によれば、嵌合凸部と嵌合凹部とが接着されることにより遊技機用基板ボックス内に被包された制御回路基板が確実に封印される。
【０１００】
遊技機１２または１３において、前記ボックスベース及びボックスカバーに設けられる前記嵌合凸部および嵌合凹部は、収容する回路基板の種類毎に異なる位置に設けられていることを特徴とする遊技機１４。よって、遊技機用基板ボックスの組み立て工程において、作業者がボックスカバー或いはボックスベースの組み合わせを間違えて使用してしまい、間違った組み合わせにより基板ボックスを組み立ててしまうことを防止することができる。
【０１０１】
遊技機１２から１４のいずれかにおいて、前記嵌合凸部又は嵌合凹部の少なくとも一方は、前記ボックスベース又はボックスカバーと第２接合部を介して連結されていることを特徴とする遊技機１５。よって、嵌合凸部と嵌合凹部とが接着されることにより遊技機用基板ボックスが封印された場合にも、第２接合部を切断することによりかかる遊技機用基板ボックスを開封することができる。また、不正行為を実施するためにかかる第２接合部を切断し遊技機用基板ボックスを開封した場合には、切断部分を再接合しその切断の痕跡を隠蔽しなければならず、かかる隠蔽は容易でない。よって、確実に隠蔽することができないので、不正行為を早期に発見できると共に、かかる不正行為を抑制することができる。
【０１０２】
遊技機１２から１５のいずれかにおいて、前記第２接合部は、前記嵌合凹部の内面または嵌合凸部の外面と対向する対向面間に所定の空隙を有して設けられていることを特徴とする遊技機１６。よって、第２接合部をニッパー等の切断工具により切断する場合には、第２接合部と嵌合凹部の内面または嵌合凸部の外面との間に設けられた空隙にその工具の刃先を入り込ませることができるので、容易に切断作業を行うことができ、切断作業の作業性を向上させることができる。
【０１０３】
遊技機１２から１６のいずれかにおいて、前記嵌合凹部の内面と嵌合凸部の外面との対向面の少なくともいずれか一方には、所定の深さを有する溝が凹設されていることを特徴とする遊技機用１７。前記嵌合凹部の内面と嵌合凸部の外面との対向面を接着固定する為に用いた接着剤が流出した場合、その接着材がボックスベースとボックスカバーとの合わせ目部分にまで流出すると、遊技機用基板ボックスを開封することができなくなる。しかし、遊技機１７によれば、接着材の流出を凹設された溝により流止することができるので、ボックスベースとボックスカバーとの合わせ目部分が接着材により接着固定されてしまうことを防止することができる。
【０１０４】
遊技機１２から１７のいずれかにおいて、前記嵌合凸部は、前記回路基板を被包した前記遊技機用基板ボックスが遊技機へ装着された状態で、前記嵌合凹部へ嵌合された嵌合凸部の外面側の少なくとも一部が視認可能となるように前記ボックスベース及びボックスカバーの側壁へ配設されていることを特徴とする遊技機１８。よって、他機種のボックスカバーが使用されていないか、或いは、嵌合凸部が切断されていないか等の確認をする場合に、遊技機用基板ボックスを遊技機から取り外す必要がないので、かかる確認作業を容易におこなうことができる。
【０１０５】
遊技機１２から１８のいずれかにおいて、前記ボックスベース及びボックスカバーは、金型を用いて所望の形状に型成形されるものであり、前記嵌合凸部及び嵌合凹部は、そのボックスベース及びボックスカバーを成形する金型中に部分的にはめ込まれる入子型によって所望の形状に型成形されるものであることを特徴とする遊技機１９。よって、嵌合凸部及び嵌合凹部を成形するための入子型を交換することにより、複数種類の遊技機用基板ボックスを製造することができる。従って、遊技機の種類分だけ金型を作成する必要がないので、製造コストを低減することができる。
【０１０６】
遊技機１９において、前記ボックスベース及び前記ボックスカバーの外表面には、被包する回路基板の種類を識別するための識別表示が凹設或いは凸設されており、この識別表示は、前記嵌合凸部及び／又は嵌合凹部の近傍に配置されると共にこれら嵌合凸部及び／又は嵌合凹部を型成形する入子型と同じ入子型により型成形されるものであることを特徴とする遊技機２０。よって、別の機種に使用されるボックスベース或いはボックスカバーを流用する不正行為が行われた場合には、ボックスベース及びボックスカバーに設けられた識別表示によりかかる不正行為が早期に発見される。また、この識別表示は、嵌合凸部及び／又は嵌合凹部の近傍に設けられているので、これら嵌合凸部及び／又は嵌合凹部と入子型を共用することができる。よって、金型を製造するための製造コストを低減することができる。
【０１０７】
遊技機１９又は２０において、前記嵌合凸部及び嵌合凹部は、前記ボックスベース及びボックスカバーの側壁にそれぞれ少なくとも２対以上設けられていることを特徴とする遊技機２１。嵌合凸部及び嵌合凹部は遊技機の機種毎に異なる位置となるようボックスベース及びボックスカバーへ配設される。かかる嵌合凸部及び嵌合凹部が２対以上配設される場合には、嵌合凸部及び嵌合凹部の配設位置を他の組みと組み合わせることができるので、遊技機の種類が多い場合にも嵌合凸部及び嵌合凹部を配設するために大きなスペースが取られることを防止することができると共に嵌合凸部及び嵌合凹部を型成形するための入子型の数を低減することができる。
【０１０８】
遊技機１９から２１のいずれかにおいて、前記ボックスベース又はボックスカバーの一方における一の側壁部に凹設される凹設部と、その凹設部の内面側を少なくとも２つの空間に区画する区画部材とを備え、その区画部材により区画された凹設部の一の空間が前記嵌合凹部とされていることを特徴とする遊技機２２。よって、区画部材の立設位置を機種毎に変更することで嵌合凹部の配設位置を変更し、それに応じて嵌合凸部の配設位置を変更しても、凹設部の外形を全ての機種で共通とすることにより、基板ボックスの外形がすべての機種で共通となる。
【０１０９】
遊技機２２において、前記区画部材により区画された凹設部の他の空間には、前記嵌合凸部が嵌合されることを防止する障壁部材が少なくとも１個以上設けられていることを特徴とする遊技機２３。よってボックスベースとボックスカバーの組み合わせが同機種に使用するものでない場合には、ボックスカバーをボックスベースに覆設することが不可能になる。
【０１１０】
回路基板が収納されるボックスベース及びボックスカバーを有する遊技機用基板ボックスと、その遊技機用基板ボックスを封印する遊技機用基板ボックス封印具とを備えた遊技機において、前記遊技機用基板ボックス封印具は、前記ボックスベース又はボックスカバーの一方に配設される第１封印部材と、前記ボックスカバー又はボックスベースの他方に配設される第２封印部材と、前記第１封印部材に設けられるストッパ部材と、そのストッパ部材に係止される係止部及び前記第２封印部材に係合される係合部を有する連結封印部材とを備え、その連結封印部材の係合部を前記第２封印部材に係合させるとともに、前記第１封印部材内に設けられたストッパ部材によって前記連結封印部材の係止部を係止して、前記第１封印部材および第２封印部材を連結し前記遊技機用基板ボックスを封印するものであり、前記遊技機用基板ボックスには、遊技機１２から２３のいずれかに記載の遊技機が有する嵌合凸部および嵌合凹部が設けられていることを特徴とする遊技機２４。
【０１１１】
請求項１記載の遊技機または遊技機１から１１のいずれかに記載の遊技機が有する遊技機用基板ボックス封印具と、遊技機１２から２３のいずれかに記載の遊技機が有する嵌合凸部および嵌合凹部とが設けられた遊技機用基板ボックスを備えることを特徴とする遊技機２５。遊技機２４，２５によれば、遊技機用基板ボックスは、異なる２種類の封印方法により封印されることとなる。即ち、遊技機用基板ボックスは、連結封印部材により第１封印部材と第２封印部材とを連結する第１の方法と、嵌合凸部と嵌合凹部とを接着剤を用いて接着固定する第２の方法とにより同時に封印されるのである。よって、かかる遊技機用基板ボックスを開封し不正行為を行う場合には、２種類の封印方法それぞれに対して対処しなければならず、封印方法が増加した分だけ開封に手間がかかるので、１種類の封印方法による場合よりも不正行為をより一層抑制することができるのである。また、封印箇所が増加した分だけ不正行為を確実に隠蔽することが困難となるので、１種類の封印方法による場合によりも不正行為をより早期に発見することができるのである。
【０１１２】
請求項１記載の遊技機または遊技機１から２５のいずれかにおいて、前記遊技機はパチンコ機であることを特徴とする遊技機２６。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において変動表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１１３】
請求項１記載の遊技機または遊技機１から２５のいずれかにおいて、前記遊技機はスロットマシンであることを特徴とする遊技機２７。中でも、スロットマシンの基本構成としては、「複数の識別情報からなる識別情報列を変動表示した後に識別情報を確定表示する可変表示手段を備え、始動用操作手段（例えば操作レバー）の操作に起因して、或いは、所定時間経過することにより、識別情報の変動が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１４】
請求項１記載の遊技機または遊技機１から２５のいずれかにおいて、前記遊技機はパチンコ機とスロットマシンとを融合させたものであることを特徴とする遊技機２８。中でも、融合させた遊技機の基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の変動が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の変動開始に際しては所定数の球を必要とし、特別遊技状態の発生に際しては多くの球が払い出されるように構成されている遊技機」となる。
【０１１５】
なお、上記した遊技機１から２６において、第１封印部材は本実施例における封印部材２０に対応し、第２封印部材は本実施例における封印部材３０に対応し、連結封印部材は本実施例における封印金具１１に対応し、係合部は本実施例における第１係合部１１ｂ１，第２係合部１１ｂ２に対応し、ストッパ部材は本実施例における係止面２０ｂに対応し、係止部は本実施例における係止爪１１ｃに対応し、保持部は第１実施例における保持部Ｈ及び第２実施例における挿入穴３０ｃに対応し、位置決め部材は、本実施例における第１係合部１１ｂ１，第２係合部１１ｂ２，第１縦壁３０ａ１、第２縦壁３０ａ２に対応する。
【０１１６】
また、遊技機１から２６において、連通口は本実施例における挿入穴３０ｃに対応し、板部材は本実施例における板部１１ａに対応し、接合部は本実施例における連結部材３１に対応し、識別模様は本実施例における番号表示Ｋに対応し、底面区画壁は本実施例における底面部２０ｅに対応する。
【０１１７】
そして、遊技機１から２６において、第２接合部は本実施例における連結部材６１に対応し、識別表示は本実施例における機種名Ｎに対応し、凹設部は本実施例におけるケース５０に対応し、区画部材は本実施例における仕切板５１に対応し、障壁部材は本実施例における障壁板５２に対応する。
【符号の説明】
【０１１８】
１                              封印具（遊技機用基板ボックス封印具）
１１                            封印金具（連結封印部材）
１１ｂ１                        第１係合部（係合部の一部）
１１ｂ２                        第２係合部（係合部の一部）
１１ｃ                          係止爪（係止部）
２０，３０                      封印部材（第１封印部材、第２封印部材）
２０ｂ                          係止面（ストッパ部材）
４０，７０，８０                基板ボックス（遊技機用基板ボックス）
４１，８１                      ボックス本体（ボックスベース）
４２，８２                      ボックス蓋体（ボックスカバー）
【図１】
2014166336.tif 000003
【図２】
2014166336.tif 000004
【図３】
2014166336.tif 000005
【図４】
2014166336.tif 000006
【図５】
2014166336.tif 000007
【図６】
2014166336.tif 000008
【図７】
2014166336.tif 000009
【図８】
2014166336.tif 000010
【図９】
2014166336.tif 000011
【図１０】
2014166336.tif 000012
【図１１】
2014166336.tif 000013